(57)【要約】      （修正有）【課題】使い捨てカイロによる温熱効果を有効にするためのカイロ用腰ベルトを提供する。【解決手段】複数のカイロＡを収納するポケット４が取り付けられ、布地の先端に脱着性ファスナーが取り付けられたカイロ用腰ベルトにおいて、ベルトの内側にはメッシュ状の布、ベルトの外側にカイロＡを収納するポケット４が取り付けられ、カイロ粉末が団塊状になるのを防ぐ、板の中央部に切り欠け７が設けられたカイロ固定板５を配設する。【選択図】図３
0003198759.tif 000002
【実用新案登録請求の範囲】
【請求項１】
伸縮性及び通気性のある布地からなり、複数のカイロを収納するポケットが取付けられ、布地の先端部に脱着性ファスナーが取り付けられたカイロ用腰ベルトにおいて、
ベルトの内側にはメッシュ状の布地が取り付けられ、
ベルトの外側には、カイロを入れるポケットが二重のメッシュ状の布が開口部以外の三方で腰ベルトに縫い付けられ、
二重になったメッシュ状の布の間に、板の中央部が切り欠けられたカイロ固定板が配設され、
ポケットの上部には、開口部を開閉できるように脱着性ファスナーが取付けられた
ことを特徴とするカイロ用腰ベルト。
【請求項２】
前記の腰ベルトに長さを調整できる肩掛け吊りベルトが脱着できるように取付けられたことを特徴とする請求項１記載のカイロ用腰ベルト。
【考案の詳細な説明】
【技術分野】
【０００１】  本考案は、使い捨てカイロを体に装着するカイロ用腰ベルトに関する。
【背景技術】
【０００２】  使い捨ての貼るカイロを衣類や肌着に張り付けて使用するか、カイロを腰ベルトに固定した袋に入れて腰等に巻き付けて使用、該腰ベルトに貼るカイロを貼着して使用するものがある。（特許文献１、２）
また、カイロを貼るまたは袋に入れて装着し、使用の際に袋の中の活性炭や鉄粉等の粉末が袋の下部に溜まって、団塊状になり、保温効果が減じるのを防止するためにカイロを入れる袋の胴部にゴムベルトを横状に付設されているものがある。（特許文献３）
【先行技術文献】
【特許文献】
【０００３】
【特許文献１】術用新案登録第３１５７７９７号公報
【特許文献２】実用新案登録第３１８５４９３号公報
【特許文献３】実用新案出願公告昭６２−２８９７５号公報
【考案の概要】
【考案が解決しようとする課題】
【０００４】  貼る使い捨てカイロを腰ベルトや肌着等に貼り付けて使用する場合、貼着部を長時間にわたって加熱することとなり、場合によっては、低温やけどを引き起こしたり、そうならないまでも温度調節がはかりづらいという問題がある。【０００５】  また、使い捨ての貼るカイロを貼着した場合や袋に入れて固定した場合、活性炭や鉄粉などの粉末が袋の下部に固まって団塊状になり、保温効果が減じることがあり、特許文献３場合はカイロを入れる袋の胴部にゴムベルトを付設したもので、袋の下部及びゴムベルトを付設した部分に溜まり、また、ゴムベルトでカイロを抑えるので、空気が入りにくくなり、袋全体の酸化による保温効果が減じるというおそれがある。
【課題を解決するための手段】
【０００６】  本考案は、上記の問題点に着目してなされたもので、
伸縮性及び通気性のある布地からなり、複数のカイロを収納するポケットが取付けられ、布地の先端部に脱着性ファスナーが取り付けられたカイロ用腰ベルトにおいて、
ベルトの内側にはメッシュ状の布地が取り付けられ、
ベルトの外側には、カイロを入れるポケットが二重のメッシュ状の布が開口部以外の三方で腰ベルトに縫い付けられ、
二重になったメッシュ状の布の間に、板の中央部が切り欠けられたカイロ固定板が配設され、
ポケットの上部には、開口部を開閉できるように脱着性ファスナーが取付けられた
ことを特徴とするカイロ用腰ベルトである。【０００７】  また、前記の腰ベルトに長さを調整できる肩掛け吊りベルトが脱着できるように取付けられたカイロ用腰ベルトである。
【考案の効果】
【０００８】  本考案は、ベルト本体が伸縮性及び通気性ある布地からなり、ベルトの両端には脱着できるファスナーを設けてあるので、身体に応じて固定することができる。腰ベルトの外側にはカイロを収納するポケットが複数個設けてあり、適宜使用するカイロの数を調節することでカイロの温熱による保温を調節することができる。
また、ベルトの内側にメッシュ状の布地を配設したので、肌とベルトの間に空間を設けることで、熱の分散が図られ、温熱効果が広範囲に及び、低温やけど等の防止を図ることができる。【０００９】  カイロを収容するポケットは、メッシュ状の二重にした布地からなり、二重に形成した中にカイロを固定する固定板が配設され、ポケットに収容したカイロの面全体を均等に固定することができ、活性炭や鉄粉等の粉末が袋内での落下により、塊になることを防止することができる。この板状のカイロ固定板は面に切り欠けが設けられており、空気の通気を妨げることがないので、鉄粉等の酸化を妨げることがないので、温熱の効果を減じることを防ぐことができる。【００１０】  さらに、本考案は、腰ベルトを吊る肩掛け吊り帯ベルトがカイロ用腰ベルトに脱着可能に取り付けられるので、カイロ用腰ベルトを長時間使用する際に該ベルトがずれることを防止することができる。
【図面の簡単な説明】
【００１１】
【図１】カイロ用腰ベルトの外側図
【図２】カイロ用腰ベルトの内側図
【図３】カイロを収容するポケットにカイロを装着した状態を示す図面
【考案を実施するための形態】
【００１２】  以下、図面に基づき本考案を説明する。
図１はカイロ用腰ベルトの外面図である。
１は腰ベルト、２は腰ベルトを吊る吊り帯ベルト、４はカイロを収容するポケットである。カイロ用腰ベルト１は、収縮性及び通気性がある布地素材からなり、カイロ用腰ベルト１の両端部には、脱着性のある脱着ファスナー３が配設されており、腰に巻き付けたときに調節して腰に装着できるようになっている。伸縮性及び通気性のある布地素材としては、ポリエステルが揚げられる。
【００１３】  カイロ用腰ベルト１の外側には、カイロＡを収容するポケット４が複数個設けられている。図１では、５個のポケットを設けたもので、ポケットの数は必要に応じて設けることが出来る。
【００１４】  図２は、カイロ用腰ベルト１の内側図である。
９はメッシュ状の布地で、カイロ用腰ベルト１の内側全面を覆うように設けられ、ベルトの周縁部に縫い付けられている。メッシュ状布地９は、ポリエステルのような素材があげられる。
【００１５】  図３は、カイロ用腰ベルト１の外側に設けたカイロＡを収容するポケット４にカイロＡを収容した状態を示す図である。
ポケット４は、メッシュ状の布地を二重にしたもので、カイロＡを出し入れするポケット上部の開口部以外の三方で、カイロ用腰ベルト１に縫い付けられている。二重にしたメッシュ状の布地の中には、周辺部を縫い付けられ、カイロ固定板５がポケットの外側の位置に配置されている。また、ポケットの開口部には脱着ファスナー６が設けられている。密着することで、ポケット４内にカイロＡを封入することができる。ポケット４に用いるメッシュ状の布は、コットンをあげることができる。
【００１６】  ポケット４は収容するカイロＡの形状より一回り大きめに形成されている。カイロ固定板５は、カイロＡとほぼ同様か一回り小さめに形成され、プラスチック板等の厚さの薄い板状の固定板からなり、カイロＡを押し付けて固定できるものであればよい。カイロ固定板５の固定面には切り欠け７が設けられている。切り欠け７は、図３に示すようにカイロ固定板５の周面及び板の真ん中を除き切り欠け７になっている。切り欠け７の形状は、カイロＡの袋全面を固定し、袋に空気の流通を妨げるものでなければこだわるものではない。
ポケット４に収容したカイロＡをカイロ固定板５によりカイロＡの面全体を固定するとともにポケット４の開口部をファスナー６で止めることでポケットにカイロＡを収容することができる。
【００１７】  ２は、カイロ用腰ベルト１を吊る吊り帯ベルトである。肩に掛けた吊り帯ベルト２をカイロ用腰ベルト１に取付け、体に装着するものである。腰ベルトを吊る肩に掛ける吊り帯ベルト２はカイロ用腰ベルト１に脱着可能に取付けられている。吊り帯ベルト２は、使用する者の体型に合わせられるようにベルトの長さをバックル８で調整することができるようになっている。
【００１８】  本考案のカイロ用腰ベルト１は、伸縮性の素材からなり、腰ベルトの両端部には脱着性のファスナー３が設けてあることから、腰に自在に装着することができる。カイロ用腰ベルト１には、カイロＡを収納するポケット４が設けられているが、設けるポケットの数は必要に応じて決めることができ、また、使用するカイロの数を必要に応じ、増減することが可能である。図１には、ポケットを５個設けたものを示している。
【００１９】  カイロを収容するポケット４は、メッシュ状の布からなり、カイロＡを固定する固定板％には切り欠けが設けられ、カイロ用腰ベルト１は通気性のある布地からなっており、腰ベルトの内側にはメッシュ状の布地がベルト全面に縫い付けられていることから、カイロの発熱に必要となる空気が通りやすくなっており、鉄粉の酸化を妨げることがない。また、カイロ用腰ベルト１の内側にはメッシュの布地９が配設されているので、腰ベルトと肌の間に空気層が設けられることになることから、カイロＡの発熱の広範囲への伝搬が可能になることで、広範囲な温熱効果を得ることができる。
【００２０】  また、カイロ固定板５でカイロＡ袋全体を固定するので、カイロＡ中の鉄粉や活性炭の袋内での落下による団塊状になることを防止できることから、カイロＡの熱効率を効果的に発散することができる。
【００２１】  また、本考案のカイロ用腰ベルト１には、肩から吊り下げる吊り帯ベルト２の長さをバックル８で調整し、適宜な方法でカイロ用腰ベルト１に装着し、肩に掛けて使用することで、カイロ用腰ベルト１の位置を安定した状態で保持することができる。
【符号の説明】
【００２２】  １    カイロ用腰ベルト
２    吊り帯ベルト
３    （腰ベルト）脱着ファスナー
４    ポケット
５    カイロ固定板
６    （開口部）脱着ファスナー
７    切り欠け
８    バックル
９    メッシュ状布
Ａ    カイロ
【図１】
0003198759.tif 000003
【図２】
0003198759.tif 000004
【図３】
0003198759.tif 000005